(57)【特許請求の範囲】
【請求項１】
車両の充電時に車両と接続される充電用コネクタと、該充電用コネクタを先端に有する充電用ケーブルとを備える車両用充電装置であって、
該車両用充電装置は、前面開口部を有する筺体内に給電手段を収納した本体部と、該前面開口部を覆う蓋体部と、該蓋体部の前面を被覆するカバーとからなり、
該本体部または蓋体部の外周側面には、充電用ケーブルを巻付けながら保持するケーブル巻付部を備え、
該蓋体部は、非充電時の充電用コネクタを保持する充電用コネクタ収納部を有し、
該カバーに、該充電用コネクタ収納部を露出する貫通孔を形成し、
該蓋体部と該カバーとの間に上下に渡る通気空間を形成した
ことを特徴とする車両用充電装置。
【請求項２】
カバーは、複数種類のカバーを付け替え自在とすることを特徴とする請求項１記載の車両用充電装置。
【請求項３】
該蓋体部と該カバーを、上下方向に湾曲させて形成したことを特徴とする請求項１又は２記載の車両用充電装置。
【請求項４】
該通気空間に連通する吸気口と排気口とを蓋体部に形成したことを特徴とする請求項３記載の車両用充電装置。
【発明の詳細な説明】
【技術分野】
【０００１】
本発明は、車両用充電装置に関するものである。
【背景技術】
【０００２】
近年、脱石油燃料やＣＯ２排出削減ニーズの高まりといった観点から、電気自動車等の車両に対する関心が高まると共に、車両用充電装置の普及が求められている。
【０００３】
一般に、車両用充電装置には、先端に充電用コネクタを有する充電用ケーブルが備えられ、充電を行う際に、該車両用充電装置から充電用コネクタを外して、車両に設けたコネクタと接続して使用される（特許文献１）。
【０００４】
今後、一般家庭における車両用充電装置設置率の増加につれて、車両用充電装置の小型化への需要が高まることが予想され、本願出願人も小型の簡易な構造からなる車両用充電装置に関する発明を出願済である（特許文献１）。
【０００５】
また、車両用充電装置の小型化への需要とともに、各住宅の外観を損なわない意匠性への要求も高まることが予想されるが、車両用充電装置を構成する部材は、強度性・耐候性・絶縁性の各機能を備えることが必須である。しかし、強度性・耐候性・絶縁性の各機能を備えた上で、更に、意匠性を考慮した各種タイプの車両用充電装置を安価に提供することは困難であり、一般家庭における車両用充電装置の普及に際し障壁となる問題があった。
【先行技術文献】
【特許文献】
【０００６】
【特許文献１】特開２０１０−２２６８１７号公報
【発明の概要】
【発明が解決しようとする課題】
【０００７】
本発明の目的は前記の問題を解決し、一般家庭への設置に適した小型の簡易な構造からなる車両用充電装置であって、強度性・耐候性・絶縁性の各機能を備えた上で、更に、意匠性に優れた車両用充電装置を提供することである。
【課題を解決するための手段】
【０００８】
上記課題を解決するためになされた本発明の車両用充電装置は、車両の充電時に車両と接続される充電用コネクタと、該充電用コネクタを先端に有する充電用ケーブルとを備える車両用充電装置であって、該車両用充電装置は、前面開口部を有する筺体内に給電手段を収納した本体部と、該前面開口部を覆う蓋体部と、該蓋体部の前面を被覆するカバーからなり、該本体部または蓋体部の外周側面には、充電用ケーブルを巻付けながら保持するケーブル巻付部を備え、該蓋体は、非充電時の充電用コネクタを保持する充電用コネクタ収納部を有し、該カバーに、該充電用コネクタ収納部を露出する貫通孔を形成し、該蓋体部と該カバーとの間に上下に渡る通気空間を形成したことを特徴とするものである。
【０００９】
請求項２記載の発明は、請求項１記載の車両用充電装置において、カバーは、複数種類のカバーを付け替え自在とすることを特徴とするものである。
【００１０】
請求項３記載の発明は、請求項１又は２記載の車両用充電装置において、該蓋体部と該カバーを、上下方向に湾曲させて形成したことを特徴とするものである。
【００１１】
請求項４記載の発明は、請求項４記載の車両用充電装置において、該通気空間に連通する吸気口と排気口とを蓋体部に形成したことを特徴とするものである。
【発明の効果】
【００１２】
本発明に係る車両用充電装置は、前面開口部を有する筺体内に給電手段を収納した本体部と、該前面開口部を覆う蓋体部と、該蓋体部の前面を被覆するカバーとからなり、該本体部または蓋体部の外周側面には、充電用ケーブルを巻付けながら保持するケーブル巻付部を備え、該蓋体は、非充電時の充電用コネクタを保持する充電用コネクタ収納部を有し、該カバーに、該充電用コネクタ収納部を露出する貫通孔を形成し、該蓋体部と該カバーとの間に上下に渡る通気空間を形成する構成により、車両用充電装置の小型化を図ると共に、請求項２記載の発明によれば、カバーのみのデザイン変更で多様な住宅の外観にフィットする意匠を備えた車両用充電装置を提供可能とした。
【００１３】
蓋体部とカバーとの間に上下に渡る通気空間を形成することにより、車両用充電装置の内部機器の放熱を促進することもできる。
【図面の簡単な説明】
【００１４】
【図１】本実施形態の車両用充電装置の全体斜視図である。
【図２】図１の充電用ケーブルを省略し、背面側からみた全体斜視図である。
【図３】図２の垂直断面図である。
【図４】本実施形態の車両用充電装置の分解斜視図である。
【図５】本体部の全体斜視図である。
【図６】蓋体部の全体斜視図である。
【図７】カバーの全体斜視図である。
【発明を実施するための形態】
【００１５】
以下に本発明の好ましい実施形態を示す。
図１〜４において、１は車両用充電装置、２は本体部、３は蓋体部、４はカバー、５は充電用コネクタ、６は充電用ケーブルである。
【００１６】
本実施形態の車両用充電装置１は、図１に示すように、非充電時においては先端に充電用コネクタ５を有する充電用ケーブル６を、車両用充電装置１の本体部２の側面に形成された周縁壁１４に沿って巻付けて保持する構造を有している。他の実施形態として、充電用ケーブル６を蓋体部３の側面に沿って巻付けて保持する構造としてもよい。
【００１７】
本体部２は、図５に示すように、前面開口部を有する筺体からなり、該筺体の内部空間は、電気機器や制御機器を収納する機器収納部７として使用される。本実施形態において、筐体の形状は、略円形で、やや縦長としているが、形状は特に限定されず、円形でも良いし、オーバル形、方形の角を円弧状にしたもの、その他、方形の上部を円弧状としたもの等でも良い。
【００１８】
機器収納部７の周縁壁１４は、前記のように、充電用ケーブルを巻付けながら保持するケーブル巻付部として使用される。更に、周縁壁１４の外周に充電用ケーブル６を支持するケーブル支持体１４ａを形成することもできる。ケーブル支持体１４ａに充電用ケーブル６を支持させることにより、充電用ケーブル６の一部が、該ケーブル巻付部に残された状態で車両の充電が行われ充電用ケーブル６が熱を持った場合であっても、該充電用ケーブル６の発熱の影響による機器収納部７内の温度上昇を効果的に回避することができる。
【００１９】
本体部２の前面開口部を施蓋する蓋体部３には、図６に示すように、非充電時に充電用コネクタ５を保持する充電コネクタ収納部８が形成されている。充電コネクタ収納部８は本体部２の機器収納部７に向けて袋状に突出した構造であり、蓋体部３に一体的に形成されている。
【００２０】
本体部２および蓋体部３は、ＡＢＳ等の強度的・電気的な強度を満たす素材で構成され、該本体部２に蓋体部３を施蓋することにより、車両用充電装置１に必要とされる防水機能・構造的強度を満たしている。
【００２１】
蓋体部３の前面を被覆するカバー４は、図７に示すように、下部に貫通孔９を有している。該貫通孔９は、蓋体部３の充電コネクタ収納部８が露出される位置に形成されている。すなわち、充電用コネクタ５は貫通孔９を介して充電コネクタ収納部８に収納する。
【００２２】
カバー４は、車両用充電装置１が設置される建物の外観に合わせて取り替えられるように、蓋体部３と着脱自在に形成されている。車両用充電装置１が住宅の壁面に設置される場合、多様な住宅の外観にあわせるために、従来、複数のバリエーションからなる車両用充電装置を用意する必要があり、コスト高の要因となっていたが、本発明によれば、カバー４のみの取り替えで対応が可能となり、より安価に各住宅の外観にフィットする意匠を備えた車両用充電装置を提供することができる。
【００２３】
カバー４は、遮光性も備えることが好ましく、ポリカーボネード等、耐候性・外観性の性能を満たす素材で構成することが好ましい。これにより、夏場の屋外環境の温度にも対応可能とすることができる。
【００２４】
カバー４は、図３に示すように、蓋体部３の前面から数ｍｍ浮かせて保持され、蓋体部３とカバー４との間に上下に渡る通気空間１０を形成している。機器収納部７に収納された電気機器や制御機器から生じた熱は、蓋体部３に伝達され該通気空間１０に放熱される。なお、蓋体部３の前面から数ｍｍ浮かせて保持することにより、カバー４が遮光板としての役割を果たし日射による機器収納部７の温度上昇を防止することができる。
【００２５】
該通気空間１０の通気を促すために、本実施形態では、図２に示すように、蓋体部３の上端部を切り欠いて排気口１２を形成し、蓋体部３の下端部の背面側に吸気口１３を形成している。本実施形態では、排気口１２と吸気口１３を蓋体部３に形成し、蓋体部３の前面をカバー４で被覆することにより、該排気口１２と吸気口１３が車両用充電装置１の正面から視認されない構造として、意匠性の向上を図っている。他の実施形態として、カバー４の上側に、排気口と吸気口となる切欠を形成してもよい。
【符号の説明】
【００２６】
１  車両用充電装置
２  本体部
３  蓋体部
４  カバー
５  充電用コネクタ
６  充電用ケーブル
７  機器収納部
８  充電コネクタ収納部
９  貫通孔
１０  通気空間
１２  排気口
１３  吸気口
１４  周縁壁
【図１】
0005842213.tif 000002
【図２】
0005842213.tif 000003
【図３】
0005842213.tif 000004
【図４】
0005842213.tif 000005
【図５】
0005842213.tif 000006
【図６】
0005842213.tif 000007
【図７】
0005842213.tif 000008